(57)【要約】【課題】  従来のふとん乾燥装置にあっては、敷ふとん、敷毛布、熱、冷風袋掛ふとんを重ね、熱、冷風を挿入その時点で、温度が下がり、敷ふとん、敷毛布は乾燥できない、なぜならば、熱は上昇するが下部には下がらない。よって乾燥も害虫駆除もできない問題点があった。【解決の手段】  上記目的を達成するために、本発明の寝たままふとん乾燥装置においては、寝台本体を升形にすることによって、熱、冷風が外に逃げるのを防ぎ、長方型角板の上に編んだよし草すだれを重ね、碁盤の目とし、その上に、ふとんを重ね、熱、冷風を左右に送り、分散、回転させ上昇させるためのびにーるぱいぷを取り付けたのである。【選択図】  図４
2006346392.tif 000002
【特許請求の範囲】
【請求項１】
寝台本体（１）の底板（２）に（３３）を取り付け、横板（３，４）に（３６）を取り付け、横板（５）に（４１）を取り付け、凹凸角板（６）に（４２）を取り付け又寝台本体（７）の底板（８）に（３４）を取り付け、横板（９，１０）に（４１）を取り付け、凹凸角板（１３）に（４２）を取り付け、底板（２）を底板（８）にのせ接続位置（１１）で重ね、また寝台本体（１４）の底板（１５）に（３５）を取り付け、横板（１６）に（４１）を取り付け、横板（１７，１８）に（３６）を取り付けて升形として凹凸角板（１９）に（４２）を取り付け、底板（１５）を底板（８）にのせ接続位置（１２）で重ね、升形にして、熱風、冷風を外に逃げるのを防ぐ、寝たままふとん乾燥装置。
【請求項２】
図（１，２，３）を接続し、びにーるぱいぷ（２０）に（３７）を設け、熱、冷風機（２１）に（３８）を設け、接続（２２）に右側排風口（２３）左側排風口（２４）を設け、引き出し（２５）に（３９）を設け殺虫剤（２６）に（４０）を置き、長方形角板（２７，２８，２９）に（４３）を取り付け、その上に、よし草すだれ（３０，３１，３２）に編んだ（４１，４５）を重ねて、碁盤の目となる、寝たままふとん乾燥装置
【発明の詳細な説明】
【技術分野】
【０００１】本発明は、図（１，２，３）を接続して、升形にし内部の熱、冷風を外部に逃げるのを防ぐ、よって長方形角板の上に、よし草すだれを重ね、その上に、敷ふとん、敷毛布、掛毛布、掛ふとんを重ね、下部より、びにーるぽいぷを通した、熱、冷風は左側、右側排風により分散、回転し上昇することにより碁盤の目を通り夏は冷風、冬は熱風を送ると安眠ができ、さらに害虫駆除ができる、寝たままふとん乾燥装置に関するものである。
【背景技術】
【０００２】従来のふとん乾燥装置においては、敷ふとん、敷毛布、熱、冷風布袋、掛毛布掛ふとんを重ね、熱風を挿入していたが、その時点で温度が下がり敷ふとん、敷毛布は、乾燥できない、よって害虫駆除もできない。
【発明が解決しようとする課題】
【０００３】従来のふとん乾燥装置にあっては、敷ふとん、敷毛布、熱冷風袋、掛毛布、掛ふとんを重ね、熱、冷風を挿入してたがその時点で温度が下がり、敷ふとん、敷毛布は乾燥できない、なぜならば、熱は上昇するが、下部には下がらない、よって、乾燥も害虫駆除もできない問題点があった。
【０００４】本発明は、寝台本体を升形にすることによって、熱、冷風を外に逃げるのを防ぎ長方形角板を設けその上に、編んだよし草すだれを設けて碁盤の目となり、下部より上部に熱風、冷風を送る事により害虫駆除及びふとん乾燥を行う装置を提供することを目的としている。
【課題を解決するための手段】
【０００５】上記目的を達成するために、本発明の寝たままふとん乾燥機装置においては、寝台本体を升形にすることによって、熱、冷風が外に逃げるのを防ぎ、長方形角板の上に編んだよし草すだれを重ね、碁盤の目とし、その上にふとんを重ね下部より熱、冷風を左右に、分散、回転させ上昇させるための、びにーるぱいぷを取り付けたものである。
【発明を実施するための最良の形態】
【０００６】図１において、寝台本体の底板（２）に（３３）を取り付け、横板（３，４）に（３６）を取り付け、横板（５）に（４１）を取り付け凹凸角板（６）に（４２）を取り付ける。【０００７】図２において、寝台本体（７）の底板（８）に（３４）を取り付け横板（９，１０）に（３６）を取り付け、重ね位置（１１）に、接続凹凸角板（１３）に（４２）を取り付ける。【０００８】図３において、寝台本体（１４）の底板（１５）に（３５）を取り付け、横板（１７，１８）に（３６）を取り付け、横板（１６）に（４１）を取り付け、凹凸角板（１９）に（４２）を取り付ける。【０００９】図４において、熱、冷風機（２１）に（３８）を設置、びにーるぱいぷ（２０）に（３７）を設け接続（２２）にし右側排風口（２３）左側排風口（２４）を設けることにより、回転する、又引き出し（２５）に（３９）を設け、殺虫剤設置（２６）に長方型角板（２７，２８，２９）に（４３）を差し込み、その上に、よし草すだれ（３０，３１，３２）を（４０）に設ける。
【発明の効果】
【００１０】本発明は、以上に説明したように構成されているので以下に記載されるような効果を奏する。
【００１１】寝台本体を升型にすることにより、熱風、冷風を外に逃げるのを防ぎ効果的な乾燥ができる。
【００１２】長方型角板とよし草すだれにより、碁盤の目ができた。
【００１３】熱、冷風をぱいぷによって左右に回転することができた。
【００１４】碁盤の目ができ熱、冷風が速やかに通り効果的に乾燥できた。
【００１５】乾燥と同時に害虫駆除ができた。
【００１６】寝たまま、乾燥ができ夏は冷風、冬は熱風を送る事により、安眠ができる。
【００１７】好きな香料を入れ、冷風を送ることができる。
【図面の簡単な説明】
【図１】寝台本体（１）の斜視図である。
【図２】寝台本体（７）の斜視図である。
【図３】寝台本体（１４）の斜視図である。
【図４】寝台本体（１，７，１４）を接続した斜視図である。
【図５】びにーるぱいぷ配置の平面図である。
【図６】底板の斜視図である。
【図７】底板の斜視図である。
【図８】底板の斜視図である。
【図９】横板の正面図である。
【図１０】びにーるぱいぷの斜視図である。
【図１１】熱、冷風機の斜視図である。
【図１２】引き出しの側面図である。
【図１３】横板の正面図である。
【図１４】凹凸の角板の正面図である。
【図１５】長方型角板の斜視図である。
【図１６】よし草すだれの斜視図である。
【図１７】寝台本体に長方形角板を取り付けた上に、よし草すだれ、敷ふとん、敷毛布、掛毛布、掛ふとんを重ねた正面図である。
【符号の説明】
１．寝台本体              ２７．２８．２９長方型角板
２．底板                  ３０．３１．３２よし草すだれ
３．４．５横板            ３３．３４．３５底板
６．凹凸角板              ３６．横板
７．寝台本体              ３７．びにーるぱいぷ
８．底板                  ３８．熱、冷風機
９．１０底板              ３９．引き出し
１１．１２重ね位置          ４０．殺虫剤
１３．凹凸角板              ４１．横板
１４．寝台本体              ４２．凹凸角板
１５．底板                  ４３．長方型角板
１６．１７．１８横板        ４４．編み目
１９．凹凸角板              ４５．よし草すだれ
２０．びにーるぱいぷ        ４６．寝台本体
２１．熱、冷風機            ４７．よし草すだれ
２２．接続位置              ４８．敷ふとん
２３．右側排風口            ４９．敷毛布
２４．左側排風口            ５０．掛毛布
２５．引き出し              ５１．掛けふとん
２６．殺虫剤設置            ５２．長方形角板
【図１】
2006346392.tif 000003
【図２】
2006346392.tif 000004
【図３】
2006346392.tif 000005
【図４】
2006346392.tif 000006
【図５】
2006346392.tif 000007
【図６】
2006346392.tif 000008
【図７】
2006346392.tif 000009
【図８】
2006346392.tif 000010
【図９】
2006346392.tif 000011
【図１０】
2006346392.tif 000012
【図１１】
2006346392.tif 000013
【図１２】
2006346392.tif 000014
【図１３】
2006346392.tif 000015
【図１４】
2006346392.tif 000016
【図１５】
2006346392.tif 000017
【図１６】
2006346392.tif 000018
【図１７】
2006346392.tif 000019